(57)【要約】【課題】本発明は、濾過部材とマイナスイオン発生物質との組み合わせにより、殺菌およびマイナスイオン化した浴水を循環供給する浴水循環濾過装置を提供することを目的とするものである。【解決手段】本発明は、浴槽１内の浴水を取入れる浴水取り入れホース２と、この浴水取り入れホースからの浴水を循環させるための循環ポンプ３と、循環する浴水を濾過する濾過タンク４と、この濾過タンク４に濾過された浴水を通すことによりマイナスイオンを発生させるマイナスイオン発生タンク５および浴水の温度を感知し、設定温度まで加熱する手段としての温度センサー６、加熱部７および浴槽１内へ再び排出する浴水排出ホース８とから構成されるものである。【選択図】　　　図１
2004130160.tif 000002
【特許請求の範囲】
【請求項１】
浴槽からの浴水を循環させながら濾過材によって濾過する浴水循環濾過装置において、
前記濾過した浴水をマイナスイオン発生物質によってマイナスイオン化させる手段とを備える
ことを特徴とする浴水循環濾過装置。
【請求項２】
循環経路において浴水を加熱する加熱手段を備える
ことを特徴とする請求項１記載の浴水循環濾過装置。
【請求項３】
前記マイナスイオン発生物質がトルマリンによって構成されることを特徴とする請求項１又は２記載の浴水循環濾過装置。
【発明の詳細な説明】
【０００１】
【発明の属する技術分野】
本発明は、浴水循環濾過装置に関する。詳しくは浴槽からの浴水を循環させながら濾過およびマイナスイオン化させる浴水循環濾過装置に係るものである。
【０００２】
【従来の技術】
従来より浴槽からの浴水を循環させながら濾過又は淨化させる浴水循環濾過装置が知られているが、近年単に濾過又は淨化させる浴水循環濾過装置においては、肺炎などの原因となるレジオネラ菌が繁殖する問題が指摘されている。
【０００３】
そこでレジオネラ菌等の雑菌類の繁殖を抑える浴水殺菌機能を備えた浴水循環濾過装置として次に示すような浴水殺菌方法および装置が知られている。
【０００４】
この浴水殺菌方法および装置は、浴水を循環経路内で循環させながら約６０℃以上の温度になるように加熱する加熱殺菌工程と、循環経路から逆洗経路に浴水の流れを切り替えて、濾過タンク内の濾材を逆洗およびすすぎ洗浄し、かつこれらのために使用された浴水を浴水循環濾過装置の外部に排出する排出する工程とから構成される。
【０００５】
従って浴水を約６０℃以上の温度になるように加熱された浴水は、その全体の約３分の１の量が逆洗とすずぎ洗浄のために使用されて外部に排出されるので、その後の水道水の導入により、循環経路内の浴水全体の温度が入浴に適した温度まで自動的に且つ短時間内に下降させられることになる。
【０００６】
【特許文献１】
特開平１１−２１６０３７号公報
【０００７】
【発明が解決しようとする課題】
しかしながら加熱した浴水の一部を濾過材の洗浄などに使用して外部に排水することは、浴水を循環させながら濾過する２４時間風呂と比較して水道水およびガスなどの使用量が大幅に増加することとなる問題がある。
【０００８】
また、水道水を使用する浴水は塩素が使用されているために酸性の硬水であり、膚に馴染み難いとされている。そこで水道水を別個設置されるマイナスイオン装置によってマイナスイオン化して浴水として使用することがあるが、これを浴水循環濾過装置によって２４時間循環濾過をした場合には循環の過程でマイナスイオン化が薄れてくる問題があり、常にマイナスイオン化した水を供給するには大型のマイナスイオン装置が必要となる問題がある。
【０００９】
本発明は、以上の点に鑑みて創案されたものであって、濾過部材とマイナスイオン発生物質との組み合わせにより、殺菌およびマイナスイオン化した浴水を循環供給する浴水循環濾過装置を提供することを目的とするものである。
【００１０】
【課題を解決するための手段】
上記の目的を達成するために、本発明に係る浴水循環濾過装置は、浴槽からの浴水を循環させながら濾過材によって濾過する浴水循環濾過装置において、前記濾過した浴水をマイナスイオン発生物質によってマイナスイオン化させる手段とを備える。
【００１１】
ここで、浴槽内の浴水を強制的に循環させる循環経路にトルマリンなどの自発分極を有する物質を粒状にした状態で設けることにより、水流により自発分極を有する物質が撹拌し、互いに衝突し合うことにより衝撃を与え、その結果マイナスイオンが発生し、浴水に溶け込まれながら浴水のマイナスイオン化が可能となる。
【００１２】
更に浴水をマイナスイオン化することによって、このマイナスイオンの有するレジオネラ菌等の殺菌類の繁殖を抑える殺菌効果を得ることが可能となる。
【００１３】
【発明の実施の形態】
以下、本発明の実施の形態を、図面を参酌しながら説明し、本発明の理解に供する。
【００１４】
図１に、本発明を適用した浴水循環濾過装置の一例を説明するための概略図である。
ここで示す浴水循環濾過装置は、浴槽１内の浴水を取入れる浴水取り入れホース２と、この浴水取り入れホースからの浴水を循環させるための循環ポンプ３と、循環する浴水を濾過する濾過タンク４と、この濾過タンク４に濾過された浴水を通すことによりマイナスイオンを発生させるマイナスイオン発生タンク５および浴水の温度を感知し、設定温度まで加熱する手段としての温度センサー６、加熱部７および浴槽１内へ再び排出する浴水排出ホース８とから構成されるものである。
【００１５】
ここで、濾過タンク４は図２に示すように、浴水の流入側よりフィルター９および活性炭などの濾材１０が内蔵されており、フィルター９によって浴水中の浮遊物を除去し、更に濾材１０によって臭いや微粒物質を除去する機構とするものである。
【００１６】
また、マイナスイオン発生タンク５は図３に示すように、濾過タンク４により濾過された浴水が流入するタンク内に粒状のトルマリン１１を空隙を持って収納するためにタンクの流入口および流出口にネット１２を設けた構成とするものである。
【００１７】
従ってマイナスイオン発生タンク５内に流入する浴水によって自発分極を有する物質であるトルマリンが撹拌し、互いに衝突し合うことにより衝撃を与え、その結果マイナスイオンが発生し、浴水に溶け込まれながら浴槽へ排出される。
【００１８】
即ち、トルマリンなどの自発分極を有する物質は、プラス極、マイナス極に分極しているが、通常は自発分極を有する物質の表面はイオンが吸着して、ほぼ電気的中和状態を保っており、マイナスイオンは極微量しか発生しない。
【００１９】
しかし自発分極を有する物質に衝撃を与えると、自発分極を有する物質の結晶が歪み、その歪みが瞬時に戻る際に高電圧がかかり電気的中和条件が乱れる。その結果としてその表面にマイナスイオンが多量に発生することとなる。
【００２０】
又マイナスイオン発生タンクとしては、濾過タンクと浴水排出ホースの排出口との間に設ける場合の他に、図４に示すように浴水排出ホース８の排出口１３に粒状のトルマリンが収納された網目状の収納部１４を装着し、この収納部１４内に流入する浴水によって自発分極を有する物質であるトルマリンが撹拌し、互いに衝突し合うことにより衝撃を与え、その結果マイナスイオンが発生し、浴水に溶け込まれながら浴槽へ排出される構成とする場合も考えられるものである。
【００２１】
また、温度センサーおよび加熱部は、浴水を循環濾過させる過程において浴水の温度が降下するために、常時温度センサーによって水温を検知し、設定温度まで電気ヒーターなどによる加熱部によって制御する構成とするものである。
【００２２】
ここで、マイナスイオン発生物質は必ずしもトルマリンである必要性は無く、例えばモナサイトや麦飯石など自発分極を有す物質であり、かつ互いに衝突し合うことにより衝撃を与え、その結果マイナスイオンが発生する物質であればいかなるものであっても良いが、効率良く、かつ多くのマイナスイオンが発生するトルマリンを使用することが好ましい。
【００２３】
以上の構成よりなる本発明では、浴槽内の浴水を循環ポンプによって浴水取り入れホースより濾過タンクへ吸引させる。そしてこの濾過タンク内にて汲み上げられる浴水中に含まれる浮遊物が除去された状態で、マイナスイオン発生タンク内へと流入する。
【００２４】
そこでマイナスイオン発生タンク内に収納される粒状のトルマリンは、流入する浴水によって撹拌され、互いに衝突し合うことで衝撃を与え、その結果マイナスイオンが発生し、濾過された浴水に溶け込みながら再び浴槽内へと排出される。
【００２５】
このようにして循環濾過される浴水は、継続的にマイナスイオンを発生させることにより、レジオネラ菌等の雑菌類の繁殖を抑えることが可能となり、硬水を軟水に変えることにより、入浴中に精神安定化、疲労回復、熟睡に好影響を得ることができる。
【００２６】
【発明の効果】
以上述べて来た如く本発明によれば、循環濾過される浴水を利用して、トルマリンなどの自発分極を有する物質に衝撃を与え続け、マイナスイオンの発生を持続させることにより、マイナスイオンの有する殺菌効果によりレジオネラ菌等の雑菌類の繁殖を抑えることが可能となり、効率かつ経済的な循環濾過と殺菌効果を得ることができる。
【００２７】
また、継続的にマイナスイオンの発生を持続させることにより入浴中に常に精神安定化、疲労回復、熟睡の好影響を受けることが可能となる。
【図面の簡単な説明】
【図１】本発明を適用した浴水循環濾過装置の一例を説明するための概略図である。
【図２】本発明を適用した浴水循環濾過装置の濾過タンクの一例を説明するための断面説明図である。
【図３】本発明を適用した浴水循環濾過装置のマイナスイオン発生タンクの一例を説明するための断面説明図である。
【図４】本発明を適用した浴水循環濾過装置のマイナスイオン発生タンクの他の例を説明するための断面説明図である。
【符号の説明】
１　　　浴槽
２　　　浴水取り入れホース
３　　　循環ポンプ
４　　　濾過タンク
５　　　マイナスイオン発生タンク
６　　　温度センサー
７　　　加熱部
８　　　浴水排出ホース
９　　　フィルター
１０　　濾材
１１　　トルマリン
１２　　ネット
１３　　排出口
１４　　収納部
【図１】
2004130160.tif 000003
【図２】
2004130160.tif 000004
【図３】
2004130160.tif 000005
【図４】
2004130160.tif 000006